(57)【要約】【課題】固定ブラケット、庇パラペットの共用化を図ることが可能な軒先構造および庇パラペットの交換方法を提供すること。【解決手段】建物の屋根材１１の軒先の梁１２から軒先前方に延設されたアーム１３と、アーム１３の先端部に固定された固定ブラケット２Ｄと、固定ブラケット２Ｄに固定された庇パラペットＰ１と、を備え、固定ブラケット２Ｄは、第１の庇パラペット１Ｄの裏面に当接可能な上部傾斜支持面２２を有するとともに、上部傾斜支持面２２に取り付けられて上部傾斜支持面２２よりも軒先前方位置に配置され、庇パラペット１Ｄとは異なる形状の庇パラペットＰ１の裏面を支持する支持片７１ａを有する取付金具７１を備える軒先構造とした。【選択図】図１Ｂ
2019173442.tif 000002
【特許請求の範囲】
【請求項１】
建物の屋根材の軒先の梁から軒先前方に延設されたアームと、
前記アームの先端部に固定された固定ブラケットと、
前記固定ブラケットに固定された庇パラペットと、
を備える軒先構造であって、
前記固定ブラケットは、第１の庇パラペットの裏面に当接可能なパラペット支持面を有するとともに、このパラペット支持面に取り付けられて前記パラペット支持面よりも軒先前方位置に配置され、前記第１の庇パラペットとは異なる形状の第２の庇パラペットの裏面を支持する金具支持面を有する取付金具を備える軒先構造。
【請求項２】
請求項１に記載の軒先構造において、
前記固定ブラケットとして、複数の形状のものが設定され、かつ、形状の異なる前記固定ブラケットに対応した専用の前記第１の庇パラペットがそれぞれ設定され、
前記固定ブラケットは、それぞれ、専用の前記第１の庇パラペットを支持可能な位置に前記パラペット支持面を有し、
前記取付金具は、前記固定ブラケットのそれぞれに対応して、前記第２の庇パラペットを共用可能な位置に前記金具支持面を配置可能に複数の形状のものが設定されている軒先構造。
【請求項３】
請求項１または請求項２に記載の軒先構造において、
前記第２の庇パラペットは、上下に分割された上型材と下型材とを結合して形成され、
前記上型材と前記下型材との少なくとも一方は、複数の形状が設定されている軒先構造。
【請求項４】
請求項３に記載の軒先構造において、
前記下型材が、さらに、上下に分割された部材を結合して形成されている軒先構造。
【請求項５】
請求項１〜請求項４のいずれか１項に記載の軒先構造における庇パラペットの交換方法であって、
前記固定ブラケットから、既設の前記第１の庇パラペットを除去する工程と、
前記第１の庇パラペットを除去した前記固定ブラケットに前記取付金具を取り付ける工程と、
前記第２の庇パラペットの裏面を前記取付金具により支持した状態で、前記第２の庇パラペットを前記固定ブラケットに固定する工程と、
を備える庇パラペットの交換方法。
【請求項６】
請求項３または請求項４に記載の軒先構造における請求項５に記載の庇パラペットの交換方法であって、
前記第２の庇パラペットを前記固定ブラケットに固定する工程は、
前記第２の庇パラペットの前記下型材を前記固定ブラケットに仮固定する工程と、
前記下型材の位置決めを行う工程と、
前記下型材を前記固定ブラケットに本固定を行う工程と、
前記下型材に前記上型材を取り付け、さらに、前記上型材を前記固定ブラケットに固定する工程と、
を備える庇パラペットの交換方法。
【発明の詳細な説明】
【技術分野】
【０００１】
本開示は、軒先構造および庇パラペットの交換方法に関する。
【背景技術】
【０００２】
従来、建物の屋上などの屋根材の軒先の鼻隠し部分に、軒先に沿って複数の庇パラペットを並設した軒先構造が知られている（例えば、特許文献１−４参照）。
【０００３】
特許文献４に記載の軒先構造は、軒先の下方位置に軒先に沿って梁が配置され、この梁から軒先の前方へ延在されたアームが軒先に沿う方向に所定の間隔で複数設けられ、各アームの先端に固定ブラケットが設けられている。そして、固定ブラケットに、軒先に沿って複数並設された庇パラペットが固定されている。
【先行技術文献】
【特許文献】
【０００４】
【特許文献１】特開２００２−１０６１２９号公報
【特許文献２】実開平６−４４８９８号公報
【特許文献３】特開２００２−１０６１２８号公報
【特許文献４】特開２０１５−２２１９８８号公報
【発明の概要】
【発明が解決しようとする課題】
【０００５】
ところで、庇パラペットは、建物の仕様により形状が異なるものが複数存在し、固定ブラケットの形状も、各庇パラペットの形状に応じ、その内側面に当接可能なように異なる形状のものが存在する。
そのため、従来、建物のリフォームなどで庇パラペットを交換する場合、既設の固定ブラケットで新たな庇パラペットを支持するには、既設の庇パラペットと同じ形状の庇パラペットに交換する必要があった。
【０００６】
しかしながら、年々、新しい仕様の建物が開発され、それに応じて異なる形状の庇パラペットおよび固定ブラケットが製造されると、交換に必要な庇パラペットの種類も年々増加し、コストアップを招く。
【０００７】
本開示は、このような従来の課題に鑑みてなされたものであり、固定ブラケットおよび庇パラペットの共用化を図ることが可能な軒先構造および庇パラペットの交換方法を提供することを目的とする。
【課題を解決するための手段】
【０００８】
本開示の軒先構造は、
建物の屋根材の軒先の梁から軒先前方に延設されたアームと、
前記アームの先端部に固定された固定ブラケットと、
前記固定ブラケットに固定された庇パラペットと、
を備える軒先構造であって、
前記固定ブラケットは、第１の庇パラペットの裏面に当接可能なパラペット支持面を有するとともに、このパラペット支持面に取り付けられて前記パラペット支持面よりも軒先前方位置に配置され、前記第１の庇パラペットとは異なる形状の第２の庇パラペットの裏面を支持する金具支持面を有する取付金具を備える。
【０００９】
また、本開示の庇パラペットの交換方法は、
上記軒先構造における庇パラペットの交換方法であって、
前記固定ブラケットから、既設の前記第１の庇パラペットを除去する工程と、
前記第１の庇パラペットを除去した前記固定ブラケットに前記取付金具を取り付ける工程と、
前記第２の庇パラペットの裏面を前記取付金具により支持した状態で、前記第２の庇パラペットを前記固定ブラケットに固定する工程と、
を備える。
【発明の効果】
【００１０】
本開示の軒先構造では、固定ブラケットに取付金具を取り付けていない状態では、パラペット支持面で第１の庇パラペットの裏面を支持した状態で第１の庇パラペットを固定することができる。
また、固定ブラケットに取付金具を取り付けた状態では、取付金具の金具支持面で第２の庇パラペットの裏面を支持した状態で第２の庇パラペットを固定することができる。
したがって、一種類の固定ブラケットにより、２種類の庇パラペットを固定可能であり、庇パラペットの共用化を図ることが可能となる。
【００１１】
また、本開示の庇パラペットの交換方法では、一種類の固定ブラケットを用いながら、既設の第１の庇パラペットから、第１の庇パラペットとは形状の異なる新規の第２の庇パラペットに交換することができる。
したがって、一種類の固定ブラケットを共用して形状の異なる第１、第２の庇パラペットを固定することが可能となる。
【図面の簡単な説明】
【００１２】
【図１Ａ】本開示の実施の形態の軒先構造を説明するための断面図であって、第１の既設の庇パラペット１Ｄが取り付けられた状態を示す。
【図１Ｂ】本開示の実施の形態の軒先構造の一例を示す断面図であって、図１Ａに示す軒先構造において第１の既設の庇パラペット１Ｄを新設の庇パラペットＰ１に交換した状態を示す。
【図２Ａ】本開示の実施の形態の軒先構造を説明するための断面図であって、第２の既設の庇パラペット１Ｐが取り付けられた状態を示す。
【図２Ｂ】本開示の実施の形態の軒先構造の一例を示す断面図であって、図２Ａに示す軒先構造において第２の既設の庇パラペット１Ｐを新設の庇パラペットＰ１に交換した状態を示す。
【図３Ａ】本開示の実施の形態の軒先構造を説明するための断面図であって、第３の既設の庇パラペット１Ｌが取り付けられた状態を示す。
【図３Ｂ】本開示の実施の形態の軒先構造の一例を示す断面図であって、図３Ａに示す軒先構造において第３の既設の庇パラペット１Ｌを新設の庇パラペットＰ２に交換した状態を示す。
【図４Ａ】本開示の実施の形態の軒先構造を説明するための断面図であって、第４の既設の庇パラペット１Ｃが取り付けられた状態を示す。
【図４Ｂ】本開示の実施の形態の軒先構造の一例を示す断面図であって、図４Ａに示す軒先構造において第４の既設の庇パラペット１Ｃを新設の庇パラペットＰ３に交換した状態を示す。
【図５Ａ】実施の形態の軒先構造において、図１Ｂに示す固定ブラケット２Ｄと取付金具７１，７２との関係を示す斜視図である。
【図５Ｂ】固定ブラケット２Ｄに取付金具７１を取り付けた状態を示す側面図である。
【図６Ａ】実施の形態の軒先構造において、図２Ｂに示す固定ブラケット２Ｐと取付金具８１，８２との関係を示す斜視図である。
【図６Ｂ】固定ブラケット２Ｐに取付金具８１を取り付けた状態を示す側面図である。
【図７Ａ】実施の形態の軒先構造において、図３Ｂに示す固定ブラケット２Ｌと取付金具９１，９２，９３との関係を示す斜視図である。
【図７Ｂ】固定ブラケット２Ｌに取付金具９１を取り付けた状態を示す側面図である。
【図７Ｃ】固定ブラケット２Ｌに取付金具９３を取り付けた状態を示す側面図である。
【図８】実施の形態の軒先構造において、図４Ｂに示す固定ブラケット２Ｃと取付金具９５，９６との関係を示す斜視図である。
【図９Ａ】実施の形態の軒先構造に取り付ける庇パラペットＰ１〜Ｐ３に使用する上型材６１０を示す側面図である。
【図９Ｂ】実施の形態の軒先構造に取り付ける庇パラペットＰ１に使用する下型材６０１を示す側面図である。
【図９Ｃ】実施の形態の軒先構造に取り付ける庇パラペットＰ２に使用する下型材６０２を示す側面図である。
【図９Ｄ】実施の形態の軒先構造に取り付ける庇パラペットＰ３に使用する下型材６０３を示す側面図である。
【図１０】実施の形態の庇パラペットの交換方法の作業手順を示すフローチャートである。
【図１１】実施の形態の庇パラペットの交換方法における補強作業の説明図である。
【図１２】実施の形態の庇パラペットの交換方法における補強作業の説明図である。
【図１３Ａ】実施の形態の庇パラペットの交換方法における庇パラペットの設置手順の説明図であって、最初に仮固定する庇パラペットの位置を示している。
【図１３Ｂ】実施の形態の庇パラペットの交換方法における庇パラペットの設置手順の説明図であって、次に仮固定する庇パラペットの位置を示している。
【図１３Ｃ】実施の形態の庇パラペットの交換方法における庇パラペットの設置手順の説明図であって、最後に仮固定する庇パラペットの位置を示している。
【図１４】実施の形態の庇パラペットの交換方法におけるジョイントの設置作業の説明図である。
【図１５】実施の形態の庇パラペットの交換方法における庇パラペットの下型材６０１の仮固定作業の説明図である。
【図１６】実施の形態の庇パラペットの交換方法における庇パラペットの下型材６０１の仮固定作業の説明図である。
【図１７】実施の形態の庇パラペットの交換方法における庇パラペットの下型材６０１の仮固定作業の説明図である。
【図１８】実施の形態の庇パラペットの交換方法における庇パラペットの下型材６０１の位置出し作業の説明図である。
【図１９】実施の形態の庇パラペットの交換方法における庇パラペットの下型材６０１の本固定作業の説明図である。
【図２０】実施の形態の庇パラペットの交換方法における庇パラペットの上型材６１０の取付作業の説明図である。
【図２１】実施の形態の庇パラペットの交換方法における庇パラペットの上型材６１０の取付作業の説明図である。
【発明を実施するための形態】
【００１３】
以下、本開示の軒先構造および庇パラペットの交換方法の実施の形態を図面にしたがって説明する。
【００１４】
実施の形態の軒先構造および庇パラペットの交換方法は、複数の形状の異なる既設の庇パラペット（第１の庇パラペット）を、既設の庇パラペットとは形状が異なる新規の庇パラペット（第２のパラペット）に交換することを可能とするものである。
【００１５】
そこで、複数の形状の異なる既設の庇パラペットとして、図１Ａに示す第１の既設の庇パラペット１Ｄ、図２Ａに示す第２の既設の庇パラペット１Ｐ、図３Ａに示す第３の既設の庇パラペット１Ｌ、図４Ａに示す第４の既設の庇パラペット１Ｃを例示する。
【００１６】
これら第１〜第４の既設の庇パラペット１Ｄ、１Ｐ、１Ｌ、１Ｃは、アルミなどの金属製の薄板により形成され、軒先に沿って軒先を覆って設けられている。これらの庇パラペット１Ｄ、１Ｐ、１Ｌ、１Ｃは、それぞれ、共通する構造の軒先に設けられた異なる形状の固定ブラケット２Ｄ、２Ｐ、２Ｌ、２Ｃに支持されている。
【００１７】
（既設の庇パラペットが取り付けられた軒先構造の説明）
まず、既設の庇パラペット１Ｄ、１Ｐ、１Ｌ、１Ｃが取り付けられた軒先構造について説明する。
図１Ａ、図２Ａ、図３Ａ、図４Ａに示す軒先構造において、上述の庇パラペット１Ｄ、１Ｐ、１Ｌ、１Ｃ、固定ブラケット２Ｄ、２Ｐ、２Ｌ、２Ｃ以外の建物側の構造は、ほぼ共通しているため、これらを代表して、図１Ａに示す軒先構造について説明する。
図１Ａは、建物の上部を覆って設けられた屋根材１１の先端部である軒先部分を示している。屋根材１１は、梁１２に支持されており、この梁１２は、軒先に沿って設けられている。すなわち、建物の上部の外周に沿って梁１２が設けられ、この梁１２に支持された屋根材１１の先端部分が軒先となる。
なお、図１３Ａに建物の屋根の平面形状の一例を示している。
【００１８】
図１Ａに戻り、梁１２から、アーム１３が、屋根材１１よりも建物外方（矢印ＦＲの方向）に突き出て設けられており、以下、この矢印ＦＲの方向を軒先前方と称する。なお、矢印ＵＰは建物の上方を示している。また、このアーム１３は、梁１２の延在方向に所定の間隔を空けて、建物の全周に亘って複数設けられている。
【００１９】
各アーム１３の先端部には、固定ブラケット２Ｄが固定されている。
そして、固定ブラケット２Ｄと梁１２との間には軒樋１６、軒天井１８、庇カバー１９ａおよび水はね防水シート１９ｂが設けられている。なお、図４Ａ、図４Ｂに示す軒先構造では、防水シート１９ｂに代えて庇カバー下水切１９ｃが設けられている。
【００２０】
軒樋１６は、アーム１３の上面に支持されて、梁１２と略平行に軒先に沿って延在されている。また、軒樋１６において、複数箇所に縦樋１７が接続されている。
【００２１】
軒天井１８は、軒先の下面を覆うもので、アーム１３にジョイント部材１８ｃを介して支持されて、アーム１３の下方に配置されている。
庇カバー１９ａは、庇パラペット１Ｄと屋根材１１との間の間口を覆って設けられている。この庇カバー１９ａは、雪やゴミなどを受け止めて、雪やゴミなどが軒樋１６内に入らないようにするものである。
【００２２】
（固定ブラケットおよび庇パラペット）
次に、図１Ａ，図２Ａ，図３Ａ、図４Ａに示す固定ブラケット２Ｄ、２Ｐ、２Ｌ、２Ｃおよび庇パラペット１Ｄ、１Ｐ、１Ｌ、１Ｃについて説明する。
【００２３】
＜固定ブラケット２Ｄ＞
まず、図１Ａに示す第１の既設の固定ブラケット２Ｄについて説明する。
固定ブラケット２Ｄは、図５Ａの斜視図にも示すように、上から順に上部支持部２１、上部傾斜支持面２２、中間支持部２３、下部凹状部２４、下端支持部２５を有する。
【００２４】
上部支持部２１は、図１Ａに示す側方から見た形状が、上方に凸状に形成され、図５Ａに示すように、上方を向いた平らな上端支持面２１ａを有する。
上部傾斜支持面２２は、上部支持部２１の軒先前方側に設けられ、軒先前方に向かうに連れて下がるよう傾斜して、軒先前方斜め上方を向いて形成されている。
【００２５】
中間支持部２３は、図１Ａに示す側方から見た形状が、軒先前方に凸状に形成され、図５Ａに示すように、上方を向いた中段支持面２３ａと、軒先前方を向いた中間正面支持面２３ｂとを備える。
【００２６】
下部凹状部２４は、図１Ａに示すように、側方から見た形状が、軒先後方に凹んだ横向きの凹状に形成され、図５Ａに示すように、中間正面支持面２３ｂよりも軒先後方（軒先前方とは逆方向）に配置されて、軒先前方を向いた下部正面第１支持面２４ａを有する。
【００２７】
下端支持部２５は、図１Ａに示すように、下部正面第２支持面２５ａと、下端支持面２５ｂと、下端部背面支持面２５ｃとを備える。
下部正面第２支持面２５ａは、軒先前方を向いて形成され、軒先の前後方向で、下部正面第１支持面２４ａと中間正面支持面２３ｂとの間に配置されている。下端支持面２５ｂは、下方を向いて形成されている。下端部背面支持面２５ｃは、軒先後方を向いて形成されている。
【００２８】
＜庇パラペット１Ｄ＞
次に、上述した固定ブラケット２Ｄに支持されて固定された、第１の既設の庇パラペット１Ｄについて説明する。
庇パラペット１Ｄは、図１Ａに示すように、裏面が固定ブラケット２Ｄに沿う形状に形成されており、上端逆凹状部１１０、上部傾斜面１２０、前方凸部１３０、後方凹部１４０、下部凹状部１５０を備える。
そして、上端逆凹状部１１０は、図示のように、逆凹状に形成されており、その裏面が上端支持面２１ａに接触状態で支持され、かつ、フランジ部１１１が固定ブラケット２Ｄの上部支持部２１に軒先前方に係合するよう配置されている。また、上端逆凹状部１１０は、リベット１１２により上端支持面２１ａに固定されている。
【００２９】
上部傾斜面１２０は、軒先前方に向かって下がるように傾斜され、その裏面が上部傾斜支持面２２に当接状態で支持されている。
【００３０】
前方凸部１３０は、側面視で凸状に軒先前方に向かって突出され、その裏面が固定ブラケット２Ｄの中間正面支持面２３ｂに当接され、かつ、その上端部がリベット１３１により固定ブラケット２Ｄの中段支持面２３ａに固定されている。
【００３１】
後方凹部１４０は、庇パラペット１Ｄの下部に軒先に沿って横溝状の意匠を形成するもので、その裏面が下部正面第１支持面２４ａに当接されて、リベット１４１により固定ブラケット２Ｄに固定されている。
【００３２】
下部凹状部１５０は、略Ｌ字断面形状に形成され、さらに、先端部にフランジ１５１が上方に立ち上げられている。そして、下部凹状部１５０の上面１５２が下端支持面２５ｂに当接され、フランジ１５１が下端部背面支持面２５ｃに当接した状態でリベット１５３により固定されている。
【００３３】
＜固定ブラケット２Ｐ＞
次に、図２Ａに示す固定ブラケット２Ｐについて説明する。
固定ブラケット２Ｐは、図６Ａの斜視図にも示すように、上から順に上部支持部３１、上部傾斜支持面３２、中間支持部３３、下部凹状部３４、下端支持部３５を有する。
【００３４】
上部支持部３１は、図２Ａに示す側方から見た形状が、上方に凸状に形成され、図６Ａに示すように、上方を向いた平らな上端支持面３１ａを有する。
上部傾斜支持面３２は、上部支持部３１の軒先前方側に設けられ、軒先前方に向かうに連れて下がるよう傾斜して、軒先前方斜め上方を向いて形成されている。
【００３５】
中間支持部３３は、図２Ａに示す側方から見た形状が、軒先前方に向けて凸状に形成され、図６Ａに示すように、上方を向いた中段支持面３３ａと、軒先前方を向いた中間正面支持面３３ｂとを備える。
【００３６】
下部凹状部３４は、図２Ａに示すように、側方から見た形状が、軒先後方に凹んだ横向きの凹状に形成され、図６Ａに示すように、中間正面支持面３３ｂよりも軒先後方（軒先前方とは逆方向）に配置されて、軒先前方を向いた下部正面第１支持面３４ａを有する。
【００３７】
下端支持部３５は、図２Ａに示すように、下部正面第２支持面３５ａと、下端支持面３５ｂと、下端部背面支持面３５ｃとを備える。下部正面第２支持面３５ａは、軒先前方を向いて形成され、軒先の前後方向で、下部正面第１支持面３４ａと中間正面支持面３３ｂとの間に配置されている。下端支持面３５ｂは、下方を向いて形成されている。下端部背面支持面３５ｃは、軒先後方を向いて形成されている。
【００３８】
以上説明した固定ブラケット２Ｐは、固定ブラケット２Ｄと比較して、上部支持部３１の上下方向寸法が、上部支持部２１よりも短く形成されている。これに伴い、上部傾斜支持面３２の下端と中間正面支持面３３ｂとの間の軒先前後方向寸法が、上部傾斜支持面２２と中間正面支持面２３ｂとの間の軒先前後方向寸法よりも大きく形成されている。また、下部凹状部３４の前後方向寸法が下部凹状部２４の上下方向寸法よりも小さく形成されている。
【００３９】
＜庇パラペット１Ｐ＞
次に、上述した固定ブラケット２Ｐに固定された、第２の既設の庇パラペット１Ｐについて説明する。
庇パラペット１Ｐは、図２Ａに示すように、裏面が固定ブラケット２Ｐに沿う形状に形成されており、上端逆凹状部２１０、上部傾斜面２２０、前方凸部２３０、後方凹部２４０、下部凹状部２５０を備える。
【００４０】
そして、上端逆凹状部２１０は、図示のように、逆凹状に形成されており、その裏面が上端支持面３１ａに接触状態で支持され、かつ、フランジ部２１１が固定ブラケット２Ｐの上部支持部３１に前方に係合するよう配置されている。そして、上端逆凹状部２１０は、リベット２１２により上端支持面３１ａに固定されている。
【００４１】
上部傾斜面２２０は、軒先前方に向かって下がるように傾斜され、その裏面が上部傾斜支持面３２に当接状態で支持されている。
【００４２】
前方凸部２３０は、軒先前方に向かって凸状に突出して形成され、その裏面が固定ブラケット２Ｐの中間正面支持面３３ｂに当接され、かつ、その上端部がリベット２３１により固定ブラケット２Ｐの中段支持面３３ａに固定されている。
【００４３】
後方凹部２４０は、庇パラペット１Ｐの下部に軒先に沿って横溝状の意匠を形成するもので、その裏面が下部正面第１支持面３４ａに当接されている。そして、リベット２４１により下部正面第１支持面３４ａに固定されている。
【００４４】
下部凹状部２５０は、略Ｌ字断面形状に形成され、さらに、先端部にフランジ２５１が上方に立ち上げられている。そして、下部凹状部２５０の上面２５２が下端支持面３５ｂに当接され、フランジ２５１が下端部背面支持面３５ｃに当接した状態でリベット２５３により固定されている。
【００４５】
以上のように、庇パラペット１Ｐは、上部傾斜面２２０の上下方向寸法が庇パラペット１Ｄの上部傾斜面１２０よりも小さな寸法に形成されている。さらに、庇パラペット１Ｐは、後方凹部２４０の上下方向寸法が、庇パラペット１Ｄの後方凹部１４０の上下方向寸法よりも小さな形状に形成されている。
【００４６】
＜固定ブラケット２Ｌ＞
次に、図３Ａに示す固定ブラケット２Ｌについて説明する。
固定ブラケット２Ｌは、図７Ａの斜視図にも示すように、上から順に上部支持部４１、上部傾斜支持面４２、中間支持部４３、下部凹状部４４、下端支持部４５を有する。
【００４７】
上部支持部４１は、図３Ａに示す側方から見た形状が、上方に凸状に形成され、図７Ａに示すように、上方を向いた平らな上端支持面４１ａを有する。
上部傾斜支持面４２は、上部支持部４１の軒先前方側に設けられ、軒先前方に向かうに連れて下がるよう傾斜して、軒先前方斜め上方を向いて形成されている。
【００４８】
中間支持部４３は、図３Ａに示す側方から見た形状が、軒先前方に向けて凸状に形成され、図７Ａに示すように、軒先前方を向いた中間正面支持面４３ｂを備える。そして、中間正面支持面４３ｂに連続して、詳細な図示は省略するが、中間支持部４３の下端には、下方を向いた締結用面４３ｃを有する。また、中間支持部４３の上端には、板材の上端面から成る中段支持部４３ａを備える。
【００４９】
下部凹状部４４と下端支持部４５は、図３Ａに示すように、側方から見て中間正面支持面４３ｂから軒先後方に向かって下方に階段状に形成されている。
下部凹状部４４は、中間正面支持面４３ｂよりも軒先後方に後退して配置された板材の端面から形成されている。
【００５０】
下端支持部４５は、図３Ａに示すように、下部正面支持面４５ａと、下端支持面４５ｂと、下端部背面支持面４５ｃとを備える。下部正面支持面４５ａは、軒先前方を向いて形成され、軒先の前後方向で、下部凹状部４４よりも軒先後方に配置されている。下端支持面４５ｂは、下方を向いて形成されている。下端部背面支持面５５ｃは、軒先後方を向いて形成されている。
【００５１】
以上説明した固定ブラケット２Ｌは、固定ブラケット２Ｄおよび固定ブラケット２Ｐと比較して、上部支持部３１の上下方向寸法が小さく、逆に、中間支持部４３の上下方向寸法が大きく形成されている。また、下部凹状部４４と下端支持部４５とは、下方側ほど、軒先後方に配置されるよう、階段状に形成されている。
【００５２】
＜庇パラペット１Ｌ＞
次に、上述した固定ブラケット２Ｌに支持されて固定された、第３の既設の庇パラペット１Ｌについて説明する。
庇パラペット１Ｌは、図３Ａに示すように、裏面が固定ブラケット２Ｌに沿う形状に形成されており、上端逆凹状部３１０、上部傾斜面３２０、前方凸部３３０、第２凸部３４０、下部凹状部２５０を備える。
【００５３】
そして、上端逆凹状部３１０は、図示のように、逆凹状に形成されており、その裏面が上端支持面４１ａに接触状態で支持され、かつ、フランジ部３１１が固定ブラケット２Ｌの上部支持部４１に軒先前方向で係合するよう配置されている。
【００５４】
上部傾斜面３２０は、軒先前方に向かって下がるように傾斜され、その裏面が上部傾斜支持面４２に当接状態で支持されている。
そして、上端逆凹状部３１０は、リベット３１２により上端支持面４１ａに固定されるとともに、上部傾斜面３２０がリベット３１３により上部傾斜支持面４２に固定されている。
【００５５】
前方凸部３３０は、軒先前方に向かって凸状に突出して形成され、その裏面が固定ブラケット２Ｌの中間正面支持面４３ｂに当接されている。
【００５６】
第２凸部３４０および下部凹状部３５０は、庇パラペット１Ｌの前方凸部３３０の下側に、前方凸部３３０から段階的に軒先後方に段差を形成する。そして、第２凸部３４０には、前方凸部３３０の軒先後方位置に、上方に凹状の凹溝３４１が形成され、この凹溝３４１が中間支持部４３の下端部の締結用面（不図示）に当接されて、リベット３４２により固定されている。
【００５７】
また、下部凹状部３５０は、固定ブラケット２Ｌの下端支持部４５を覆うように、略Ｌ字断面形状に形成され、さらに、先端部にフランジ３５１が上方に立ち上げられている。そして、下部凹状部３５０の上面３５２が下端支持面４５ｂに当接され、フランジ３５１が下端部背面支持面４５ｃに当接した状態でリベット３５３により固定されている。
【００５８】
以上のように、庇パラペット１Ｌは、前方凸部３３０が、前述の庇パラペット１Ｄ、１Ｐの前方凸部１３０，２３０と比較して、上下方向寸法が大きな形状（意匠）に形成されている。さらに、庇パラペット１Ｌは、その下部に溝状の形状を有しておらず、下方の部分程、軒先後方に配置された階段形状に形成されている。
【００５９】
＜固定ブラケット２Ｃ＞
次に、図４Ａに示す固定ブラケット２Ｃについて説明する。
固定ブラケット２Ｃは、図８の斜視図にも示すように、上から順に上部支持部５１、上部傾斜支持面５２、上部支持凸部５３、中間凹状部５４、下端支持部５５を有する。
【００６０】
上部支持部５１は、図７Ａに示すように、上方を向いた平らな上端支持面５１ａを有する。また、上部傾斜支持面５２は、上端支持面５１ａの前端縁から、軒先前方に向かうに連れて下がるよう傾斜して、軒先前方斜め上方を向いて形成されている。
【００６１】
上部支持凸部５３は、図４Ａに示すように、軒先前方を向いた上部正面支持面５３ｂと、この上部正面支持面５３ｂの下端縁から軒先後方に略直角に延在され、下方を向いた上部下方向支持面５３ｃを備える。なお、上部正面支持面５３ｂは、他の固定ブラケット２Ｄ，２Ｌ、２Ｐの中間正面支持面２３ｂ，３３ｂ，４３ｂと比較して、上方に位置し、かつ、上下方向寸法が小さな寸法に形成されている。
【００６２】
中間凹状部５４は、上部支持凸部５３よりも軒先後方に配置された中間正面支持面５４ａを備え、かつ、中間凹状部５４の上端部には、軒先後方に凹んだ凹部５４ｂを備える。また、中間凹状部５４の下端部には、中間正面支持面５４ａから軒先後方に略水平に延在された締結用面５４ｃが設けられている。
下端支持部５５は、図４Ａに示すように、湾曲状に形成され、詳細な図示は省略するが、この湾曲形状に沿って、軒先前方から軒先下方に向きを変える形状の湾曲支持面５５ａを備える。
【００６３】
以上説明した固定ブラケット２Ｃは、他の固定ブラケット２Ｄ、２Ｐ、２Ｌと比較して、上部の軒先前方への突出量が大きく、中間部が軒先後方へ後退した形状に形成されている。
【００６４】
＜庇パラペット１Ｃ＞
次に、上述した固定ブラケット２Ｃに支持されて固定された、第４の既設の庇パラペット１Ｃについて説明する。
庇パラペット１Ｃは、図４Ａに示すように、その裏面が固定ブラケット２Ｃに沿うように形成されており、上端逆凹状部４１０、上部傾斜面４２０、上部前方凸部４３０、中間凹部４４０を備える。
【００６５】
また、庇パラペット１Ｃは、固定ブラケット２Ｃの上端から中間凹状部５４の下端の高さまでの上下方向長を有する。そして、軒先において、庇パラペット１Ｃの下側部分は、軒天井１８の外側を覆う軒天井カバー部材１８ａが、軒天井１８の軒先前方を覆うように湾曲された湾曲カバー部１８ｂにより覆われている。すなわち、下端支持部５５の湾曲支持面５５ａの湾曲形状は、この湾曲カバー部１８ｂの湾曲形状に一致する形状に形成されている。
【００６６】
庇パラペット１Ｃの上端逆凹状部４１０は、図示のように、逆凹状に形成されており、その裏面が上端支持面５１ａに接触状態で支持され、かつ、フランジ部４１１が固定ブラケット２Ｃの上部支持部５１に軒先前方向に係合するよう配置されている。
【００６７】
上部傾斜面４２０は、軒先前方に向かって下がるように傾斜され、その裏面が上部傾斜支持面５２に当接状態で支持されている。そして、上端逆凹状部４１０は、リベット４１２により上端支持面５１ａに固定されている。
【００６８】
上部前方凸部４３０は、上部傾斜面４２０の下端に連続して下方に垂下され、軒先前方に最も突出して配置されている。そして、上部前方凸部４３０の下端は、中間凹部４４０に向かって軒先後方に略直角に折り返され、上部下方向支持面５３ｃに当接されて、リベット４３１により固定ブラケット２Ｃに固定されている。
【００６９】
中間凹部４４０は、上部前方凸部４３０の折返し部分から下方に垂下され、その下端に、軒先後方に折曲されたフランジ部４４１を備える。
そして、フランジ部４４１が、軒天井１８の軒天井カバー部材１８ａの湾曲カバー部１８ｂの先端部と重なった状態で、リベット４４２により固定ブラケット２Ｃの締結用面５４ｃに固定されている。
【００７０】
以上のように、図１Ａ、図２Ａ、図３Ａ、図４Ａに示す既設の庇パラペット１Ｄ、１Ｐ、１Ｌ、１Ｃは、それぞれ、軒先前後方向の突出量、凹凸形状、上下方向寸法が異なり、これに応じて、これを固定する固定ブラケット２Ｄ、２Ｐ、２Ｌ、２Ｃの形状も異なる。
【００７１】
（実施の形態の軒先構造）
本実施の形態の軒先構造では、上述の形状の異なる固定ブラケット２Ｄ、２Ｐ、２Ｌ、２Ｃに取り付けることが可能な後述する庇パラペットＰ１，Ｐ２，Ｐ３を用いた軒先構造を提案するものである。
【００７２】
庇パラペットＰ１，Ｐ２，Ｐ３は、図９Ａに示す上型材６１０と、図９Ｂ、図９Ｃ、図９Ｄに示す下型材６０１，６０２，６０３とにより形成される。
すなわち、庇パラペットＰ１（図１Ｂ，図２Ｂ参照）は、図９Ａに示す上型材６１０と、図９Ｂに示す下型材６０１とを結合して形成される。また、庇パラペットＰ２（図３Ｂ参照）は、図９Ａに示す上型材６１０と、図９Ｃに示す下型材６０２とを結合して形成される。さらに、庇パラペットＰ３（図４Ｂ参照）は、図９Ａに示す上型材６１０と、図９Ｃに示す下型材６０３とを結合して形成される。
また、図９Ｂに示す下型材６０１は、中間部材６２０と第１下部部材６３０とを結合して形成され、図９Ｃに示す下型材６０２は、中間部材６２０と第２下部部材６４０とを結合して形成され、図９Ｄに示す下型材６０３は、中間部材６２０のみにより形成されたものである。
【００７３】
すなわち、庇パラペットＰ１，Ｐ２，Ｐ３は、上型材６１０と中間部材６２０とを共用し、第１下部部材６３０と第２下部部材６４０とのいずれかを選択的に使用したものと、両下部部材６３０，６４０を使用しないものとにより形成される。
【００７４】
そして、庇パラペットＰ１は、図１Ｂに示す固定ブラケット２Ｄを備える軒先構造および図２Ｂに示す固定ブラケット２Ｐを備える軒先構造に取り付けることができる。
また、庇パラペットＰ２は、図３Ｂに示す固定ブラケット２Ｌを備える軒先構造に取り付けることができる。
また、庇パラペットＰ３は、図４Ｂに示す固定ブラケット２Ｃを備える軒先構造に取り付けることができる。
なお、以下の説明において庇パラペットＰ１，Ｐ２，Ｐ３を総称する場合は、共通する符号「Ｐ」のみを用いて庇パラペットＰと称する。
【００７５】
＜上型材＞
まず、庇パラペットＰの上部を形成する上型材６１０について説明する。
【００７６】
上型材６１０は、庇パラペットＰの上部を形成する部材であり、前述した既設の各庇パラペット１Ｄ、１Ｐ、１Ｌ、１Ｃの各上端逆凹状部１１０，２１０，３１０，４１０および各上部傾斜面１２０，２２０，３２０，４２０に相当する部材である。
【００７７】
上型材６１０は、図９Ａに示すように、上面部６１１とフランジ部６１２と上部傾斜面６１３とを備える。
【００７８】
上面部６１１は、庇パラペットＰの上端面を形成する。
フランジ部６１２は、軒先取付時に、上面部６１１の軒先後方に配置される端部から垂下されている。
上部傾斜面６１３は、軒先取付時に、上面部６１１の軒先前方に配置される端部から軒先前方程、下方に配置されるように傾斜されており、そして、その下端部に、上方に膨らんだ形状の固定片部６１３ａを備える。また、上部傾斜面６１３は、設置時に、図４Ｂに示すように、固定ブラケット２Ｃの上部傾斜面４２０の全長に亘って沿うような傾斜角度および上下方向寸法に形成されている。
【００７９】
また、図４Ｂに示すように、上型材６１０は、固定ブラケット２Ｃの上部支持部５１および上部傾斜支持面５２に沿う形状に形成されている。
【００８０】
＜下型材＞
次に、下型材６０１，６０２，６０３を形成する中間部材６２０、第１下部部材６３０および第２下部部材６４０について説明する。
中間部材６２０は、庇パラペットＰ１、Ｐ２の中間部、庇パラペットＰ３の中間部および下端部を形成する部材であり、図９Ｂに示すように、上部傾斜部６２１、中間突出面部６２２、下端凹部６２３を備える。
【００８１】
上部傾斜部６２１は、図１Ｂ，図２Ｂなどに示すように、上部傾斜面６１３の下端部の固定片部６１３ａの下側に重なって固定片部６１３ａに固定される。したがって、その下端部６２１ａは、固定片部６１３ａと同様の湾曲形状に形成され、この下端部６２１ａから斜め上方に延びる延長片６２１ｂは、上部傾斜部６２１の裏面に重なった際に上部傾斜部６２１に圧設されるように、上部傾斜部６２１の傾斜角度よりも僅かに急な傾斜角度で立ち上げられている。
なお、上部傾斜部６２１の下端部６２１ａと延長片６２１ｂとは、庇パラペットＰの設置時に、上部傾斜面６１３の固定片部６１３ａおよび上部傾斜面６１３の下端部とに、それぞれ、不図示のブラインドリベットにより一体に固定される。
【００８２】
図９Ｂに戻り、中間突出面部６２２は、上部傾斜部６２１の下端から垂下されている。この中間突出面部６２２は、図１Ｂ、図２Ｂに示すように、上型材６１０の上面部６１１と結合させて設置した場合に、固定ブラケット２Ｄ，２Ｐの中間正面支持面２３ｂ，３３ｂに当接されるような軒先前後方向位置となるように形成されている。
【００８３】
下端凹部６２３は、中間突出面部６２２の下端部から設置状態で、軒先後方に凹んで形成されており、固定片部６２３ａ、下部正面部６２３ｂ、結合片部６２３ｃ、フランジ６２３ｄを備える。
固定片部６２３ａは、中間突出面部６２２の下端部から、設置状態で軒先後方となる方向へ略水平に延在されている。
下部正面部６２３ｂは、設置時において軒先前方を向くよう形成され、固定片部６２３ａの設置時の軒先後方側端部から下方に垂下されている。
結合片部６２３ｃは、下部正面部６２３ｂの下端から、設置時において軒先後方を向く方向に延在されている。この結合片部６２３ｃは、図９Ｂに示す第１下部部材６３０との結合や、図９Ｃに示す第２下部部材６４０との結合、あるいは、図４Ｂに示すように、固定ブラケット２Ｃとの固定に用いられる。
フランジ６２３ｄは、中間突出面部６２２に連続して固定片部６２３ａよりも下方に垂下されている。下部正面部６２３ｂの奥行き感を演出している。
【００８４】
なお、中間部材６２０の上下方向寸法は、図４Ｂに示すように、固定ブラケット２Ｃに設置した際に、結合片部６２３ｃが固定ブラケット２Ｃの締結用面５４ｃの下面に重なる位置となるように設定されている。
【００８５】
以上説明した中間部材６２０は、図４Ｂに示すように、固定ブラケット２Ｃの上部支持凸部５３から中間凹状部５４を覆い、結合片部６２３ｃが締結用面５４ｃの下側に配置される寸法および形状に形成されている。
【００８６】
次に、第１下部部材６３０および第２下部部材６４０について説明する。
第１下部部材６３０は、庇パラペットＰ１、Ｐ２の下端部を形成するもので、図９Ｂに示すように、湾曲部６３１、結合フランジ６３２、下端カバー部６３３を備える。
【００８７】
湾曲部６３１は、下部正面部６２３ｂから下方に連続し、下方に向かうほど軒先後方へ向かうように湾曲した形状に形成されている。
結合フランジ６３２は、湾曲部６３１の上端から、設置時に軒先後方に向かう方向に延在され、中間部材６２０との結合の際に、結合片部６２３ｃの下側に重なった状態で、リベット６２４により結合される。
【００８８】
下端カバー部６３３は、庇パラペットＰ１、Ｐ２の下端部を形成する部分であり、湾曲部６３１の下端から、設置時における軒先後方に向かって延在され、上方に向けて凹んだ凹溝６３３ａと、軒先後方の端部から上方に立ち上げられたフランジ６３３ｂを有する。
【００８９】
また、下端カバー部６３３は、軒先に設置した際には、図１Ｂ,図２Ｂに示すように、固定ブラケット２Ｄ，２Ｐの下端支持部２５，３５に沿って配置され、凹溝６３３ａの位置で、ブラインドリベット１８２により固定ブラケット２Ｄ，２Ｐに固定される。
【００９０】
なお、フランジ６３３ｂは、図１Ｂ、図２Ｂに示すように、中間部材６２０を固定ブラケット２Ｄ，２Ｐの中間支持部２３、３３に当接させたときに、固定ブラケット２Ｄ，２Ｐの下端部背面支持面２５ｃ，３５ｃに当接する位置に配置されている。
【００９１】
第２下部部材６４０は、図９Ｃに示す、湾曲部６４１、結合フランジ６４２、下端カバー部６４３を備える。湾曲部６４１、結合フランジ６４２については、第１下部部材６３０の湾曲部６３１、結合フランジ６３２と同様に形成されている。
【００９２】
下端カバー部６４３は、第１下部部材６３０の下端カバー部６３３よりも軒先前後方向に長い寸法に形成されている。
そして、下端カバー部６４３は、凹溝６４３ａとフランジ６３３ｂとを有し、軒先に設置した際には、図３Ｂに示すように、固定ブラケット２Ｌの下端支持部４５に沿って配置され、凹溝６４３ａの位置で、ブラインドリベット１８２により固定ブラケット２Ｌに固定される。
【００９３】
また、フランジ６４３ｂは、図３Ｂに示すように、中間部材６２０を固定ブラケット２Ｌの中間支持部４３に当接させたときに、固定ブラケット２Ｌの下端部背面支持面４５ｃに当接する位置に配置されている。
【００９４】
（取付金具）
次に、庇パラペットＰ１、Ｐ２、Ｐ３を設置する際に使用する取付金具について説明する。
本実施の形態では、形状の異なる各固定ブラケット２Ｄ，２Ｐ，２Ｌ，２Ｃに対し、新規の庇パラペットＰ１、Ｐ２、Ｐ３を取り付けるのにあたり、取付金具７１，７２，８１，８２，９１，９２，９３，９５，９６を使用する。
【００９５】
以下に、各取付金具７１，７２，８１，８２，９１，９２，９３，９５，９６について説明する。
【００９６】
取付金具７１，７２は、図１Ｂに示すように、固定ブラケット２Ｄに庇パラペットＰ１を取り付けるのに使用する。なお、庇パラペットＰ１は、前述したように、上型材６１０と、中間部材６２０と第１下部部材６３０とを結合して形成された下型材６０１とを結合して形成されるものである。
【００９７】
取付金具７１は、金属板により形成されたもので、図５Ａ、図５Ｂに示すように、支持片７１ａと、その両端に一体に設けられたＬ字断面形状の脚部７１ｂ．７１ｂとによりハット断面形状に形成されている。脚部７１ｂは、支持片７１ａを、図１Ｂに示すように、固定ブラケット２Ｄの上部傾斜支持面２２から、斜め上方に離れた位置であって、庇パラペットＰ１の上型材６１０の上部傾斜面６１３の裏面を支持する位置に配置できる寸法に形成されている。そして、この取付金具７１は、ドリルビス７１ｃ、７１ｃにより、脚部７１ｂが上部傾斜支持面２２に固定されている。
【００９８】
また、取付金具７２は、図５Ａに示すように、横長の長方形の板状に形成され、ブラインドリベット７２ａにより固定ブラケット２Ｄの上端支持面２１ａに固定される。
なお、固定ブラケット２Ｄの下端の下端支持面２５ｂには、発泡体製のテープ７３が貼り付けられる。
【００９９】
取付金具８１，８２は、固定ブラケット２Ｐに庇パラペットＰ１を取り付けるのに使用する。
取付金具８１は、金属板により形成されたもので、図６Ａ、図６Ｂに示すように、支持片８１ａと、その上部および側部に一体に設けられたＬ字断面形状の脚部８１ｂおよび平板状の脚部８１ｃとを有する。
脚部８１ｂ、８１ｃは、支持片８１ａを、図２Ｂに示すように、固定ブラケット２Ｐの上部傾斜支持面３２から、斜め上方に離れた位置であって、庇パラペットＰ１の上型材６１０の上部傾斜面６１３の裏面を支持する位置に配置できる寸法に形成されている。そして、この取付金具８１は、ドリルビス８１ｄ、８１ｄにより、脚部８１ｂが上部傾斜支持面３２に固定され、脚部８１ｃが上部支持部３１の側面に固定されている。
【０１００】
また、取付金具８２は、図６Ａに示すように、横長の長方形の板状に形成され、ブラインドリベット８２ａにより固定ブラケット２Ｐの上端支持面３１ａに固定される。
【０１０１】
取付金具９１，９２，９３は、固定ブラケット２Ｌに庇パラペットＰ２を取り付けるのに使用する。
【０１０２】
取付金具９１は、金属板により形成されたもので、図７Ａ、図７Ｂに示すように、支持片９１ａと、その側部に一体に設けられた平板状の脚部９１ｂとによりＬ字断面形状に形成されている。
脚部９１ｂは、支持片９１ａを、図３Ｂに示すように、固定ブラケット２Ｌの上部傾斜支持面３２から、軒先前方に離れた位置であって、庇パラペットＰ２の上型材６１０の上部傾斜面６１３と、中間部材６２０の上部傾斜部６２１の延長片６２１ｂとが重なった箇所の裏面を支持する位置に配置できる寸法に形成されている。そして、この取付金具９１は、ドリルビス９１ｃ、９１ｃにより、脚部９１ｂが中段支持部４３ａの側面に固定されている。
【０１０３】
また、取付金具９２は、図７Ａに示すように、横長の長方形の板状に形成され、ブラインドリベット９２ａにより固定ブラケット２Ｌの上端支持面４１ａに固定される。
【０１０４】
取付金具９３は、図示のように、略四角形の板状の支持片９３ａの両側に、一対の板状の取付片９３ｂ、９３ｂを立ち上げた略凹状の断面形状に形成されている。そして、支持片９３ａを、下端支持部４５の下端支持面４５ｂの下側に当接した状態で、ドリルビス９３ｃ，９３ｃにより取付片９３ｂ、９３ｂが下端支持部４５の側面に固定されている。
【０１０５】
取付金具９５，９６は、固定ブラケット２Ｃに庇パラペットＰ３を取り付けるのに使用する。
取付金具９５は、図８に示すように、横長の長方形の板状に形成され、ブラインドリベット９５ａにより固定ブラケット２Ｃの上端支持面５１ａに固定される。
【０１０６】
取付金具９６は、横長の長方形の板状に形成され、中間凹状部５４の下端の締結用面５４ｃの下側に湾曲カバー部１８ｂの先端縁部を重ねた状態で、さらにその下側に重ねた状態でブラインドリベット９６ａにより固定される。
【０１０７】
（実施の形態の作用）
実施の形態の作用として、軒先構造において、既設の庇パラペットから新規の庇パラペットに交換する作業の手順を、図１０のフローチャートに沿って順を追って説明する。
なお、この作業の説明にあたり、まず、図１Ａに示す第１の既設の庇パラペット１Ｄを除去し、新規の庇パラペットＰ１を設置する場合を例に挙げる。
【０１０８】
（ステップＳ１：既設の庇パラペットの取り外し）
まず、既設の第１の庇パラペット１Ｄを軒先から取り外す。このとき、固定ブラケット２Ｄへの固定に使用しているリベット１１２、１３１、１４１、１５３を撤去する。また、この庇パラペット１Ｄに使用している、隣接する庇パラペット１Ｄどうしの接続を行っているジョイナ（不図示）も撤去する。
【０１０９】
なお、後述する庇パラペット１Ｃの場合は、後述する軒天井ジョイナ１９２は、再利用するため、破棄しない。
そして、各アーム１３や各固定ブラケット２Ｄなどの点検を行い、防錆作業や必要であれば補修を行う。
【０１１０】
（ステップＳ２：補強作業）
次に、軒天井１８の補強作業を行う。
この補強作業は、庇パラペット１Ｄが設置されていた軒先構造の場合は、図１１に示すように、軒天井１８を支持するジョイント部材１８ｃどうしを補強アングル材１９０により連結して補強する。なお、補強アングル材１９０は、ドリルビス１９１によりジョイント部材１８ｃに締結する。
【０１１１】
また、庇パラペット１Ｃが設置されていた軒先構造の場合は、図１２に示すように、軒先の延在方向に隣り合う軒天井カバー部材１８ａの湾曲カバー部１８ｂどうしに跨らせて軒天井ジョイナ１９２を設け、リベット１９３により固定する。
【０１１２】
（ステップＳ３：取付金具の取付作業）
次に、固定ブラケット２Ｄ（２Ｐ、２Ｌ、２Ｃ）に取付金具を取り付ける。
固定ブラケット２Ｄには、図５Ａに示すように、取付金具７１、７２を取り付ける。
取付金具７１は、脚部７１ｂ，７１ｂを上部傾斜支持面２２の上に重ねてドリルビス７１ｃ，７１ｃを締結して固定する。
また、取付金具７２は、その長手方向を軒先に対して横方向に向けて上端支持面２１ａの上に重ねブラインドリベット７２ａにより締結して固定する。
さらに、固定ブラケット２Ｄの下端の下端支持面２５ｂには、発泡体製のテープ７３を貼り付ける。
【０１１３】
ここで、庇パラペットＰ１を図２Ａ，図２Ｂに示す固定ブラケット２Ｐに取り付ける場合には、固定ブラケット２Ｐには、図６Ａに示すように、取付金具８１、８２を取り付ける。
取付金具８１は、脚部８１ｂを上部傾斜支持面３２の上に重ねてドリルビス８１ｄを締結して固定するとともに、脚部８１ｃを固定ブラケット２Ｐの側面に重ねてドリルビス８１ｄを締結して固定する。
また、取付金具８２は、その長手方向を軒先に対して横方向に向けて上端支持面３１ａの上に重ねてブラインドリベット８２ａにより締結して固定する。
【０１１４】
また、庇パラペットＰ２を図３Ａ，図３Ｂに示す固定ブラケット２Ｌに取り付ける場合には、固定ブラケット２Ｌに、図７Ａに示すように、取付金具９１、９２、９３を取り付ける。
取付金具９１は、図７Ａ，図７Ｂに示すように、脚部９１ｂを固定ブラケット２Ｌにおいて中段支持部４３ａの近傍の側面に重ねてドリルビス９１ｃを締結して固定する。
また、取付金具９２は、図７Ａに示すように、その長手方向を軒先に対して横方向に向けて上端支持面４１ａの上に重ねてブラインドリベット９２ａにより締結して固定する。
【０１１５】
そして、取付金具９３は、図７Ａ、図７Ｃに示すように、取付片９３ｂ，９３ｂを、固定ブラケット２Ｌの下端支持部４５の両側面に重ねてドリルビス９３ｃ，９３ｃにより固定する。
【０１１６】
また、庇パラペットＰ３を図４Ａ，図４Ｂに示す固定ブラケット２Ｃに取り付ける場合には、固定ブラケット２Ｃに、図８に示すように、取付金具９５，９６を取り付ける。
取付金具９５は、その長手方向を軒先に対して横方向に向けて上端支持面４１ａの上に重ねてブラインドリベット９２ａにより締結して固定する。
【０１１７】
そして、取付金具９６は、軒天井１８の湾曲カバー部１８ｂの先端縁のフランジ部１８ｆの下側に重ねた上で、固定ブラケット２Ｃの締結用面５４ｃの下側に、フランジ部１９ｆと取付金具９５を重ね、ブラインドリベット９６ａを締結して固定する。
【０１１８】
（ステップＳ４：庇パラペットの下型材の取付作業）
次に、庇パラペットＰ１の下型材６０１の取付作業を行う。なお、庇パラペットＰ２を設置する場合には、下型材６０２の取付作業を行う。また、庇パラペットＰ３を設置する場合には、下型材６０３の取付作業を行う。
この下型材６０１（６０２、６０３）の取付作業では、ステップＳ４１の仮固定作業、ステップＳ４２の位置出し作業、ステップＳ４３の本固定作業を行う。
【０１１９】
＜Ｓ４１：仮固定作業＞
仮固定作業（Ｓ４１）では、下型材６０１（６０２、６０３）を、軒先に対して、図１３Ａ，図１３Ｂ、図１３Ｃに示す順番で仮固定し、軒先に沿う方向の位置決めを行った後、本固定する。
【０１２０】
すなわち、まず、図１３Ａに示すように、下型材６０１（６０２、６０３）をコーナ入隅部Ｃ１に仮固定する。
次に、図１３Ｂに示すように、下型材６０１（６０２、６０３）をコーナ出隅部Ｃ２に仮固定する。
最後に、図１３Ｃに示すように、下型材６０１（６０２、６０３）を直線部ＳＰに仮固定する。
次に、仮固定作業を具体的に説明する。
なお、下型材６０１〜６０３の仮固定作業は、共通しているため、下型材６０１の仮固定作業について説明する。
【０１２１】
まず、図１４に示すように、下型材６０１の長手方向の端部にジョイント７１０を差し込む。このジョイント７１０は、隣り合う庇パラペットＰ１どうしの継目を塞ぐ部材である。したがって、ジョイント７１０は、設置する庇パラペットＰ１の内側に沿う形状に形成されている。
また、ジョイント７１０は、下型材６０１の取付時には、図１４の矢印により示す方向ン押込み、下型材６０１の端縁部の位置まで押し込んでおく。
【０１２２】
次に、下型材６０１を軒先に設置し、仮固定する。
この場合、図１Ｂに示すように、下型材６０１の下端のフランジ６３３ｂを固定ブラケット２Ｄの下端部背面支持面２５ｃに当接させ、かつ、下端カバー部６３３を固定ブラケット２Ｄの下端支持面２５ｂに当接させた上で、下記の仮固定作業を行う。
【０１２３】
仮固定作業は、図１５に示すように、下型材６０１の長手方向両端に設けられた仮留用金具７２０の長穴７２１に、図１６に示すように仮留ビス７２２を挿通し、固定ブラケット２Ｄに締結して仮固定する。
【０１２４】
なお、このとき、図１７に示すように、仮固定を行っていない箇所の固定ブラケット２Ｄについては、固定ブラケット２Ｄと下型材６０１とを密着させるように両者を押し付けた上で、固定ブラケット２Ｄに、下型材６０１の上端の位置にマーキングＭを施す。このマーキングＭを後述の本固定時に、目印とする。
【０１２５】
＜Ｓ４２：位置出し作業＞
位置決め作業（Ｓ４２）は、図１８に示すように、隣り合う下型材６０１を、それぞれ長手方向（左右方向）に移動させ、両者の間の目地の間隔を調節する。また、この作業時に、一方の下型材に取り付けておいたジョイント７１０をスライドさせ目地を隠す。なお、下型材６０１を移動させる際には、仮留ビス７２２を適宜緩めて移動させる。
【０１２６】
＜Ｓ４３：本固定作業＞
下型材６０１の本固定作業（Ｓ４３）は、まず、ジョイント７１０を挟む一方の下型材６０１（図１８では左側の下型材６０１）を、リベット７１２、７１３によりジョイント７１０と固定する。
次に、仮留ビス７２２を緩め目地間隔と目地立ちとが平行になるように調整し、仮留ビス７２２を締め付ける。
その後、図１９に示すように、もう一方の下型材６０１（図１９において左側の下型材６０１）を、リベット７１２、７１３によりジョイント７１０と固定する。
そして、下型材６０１の上端の延長片部６２１ｂにおいて、横方向で固定ブラケット２Ｄと重なる位置に孔を穿設し、これを貫通させたリベット７１１を固定ブラケット２Ｄに締結し固定する。なお、リベット７１１は、取付金具７１の支持片７１ａに締結される。
【０１２７】
また、取付対象が固定ブラケット２Ｐの場合は、下型材６０１の延長片部６２１ｂを貫通したリベット７１１を、取付金具８１の支持片８１ａに締結する。
【０１２８】
また、取付対象が固定ブラケット２Ｌの場合は、下型材６０２の延長片部６２１ｂを貫通したリベット７１１を、取付金具９１の支持片９１ａに締結する。
【０１２９】
また、取付対象が固定ブラケット２Ｃの場合は、下型材６０３の延長片部６２１ｂを貫通したリベット７１１を、固定ブラケット２Ｃの上部傾斜面６１３に締結する。
【０１３０】
そして、下型材６０１の下端部をブラインドリベット１８２（図１Ｂ参照）により、固定ブラケット２Ｄの下端支持面２５ｂに固定する。
なお、下型材６０３の場合は、その下端部の固定は、図８に示すように、ブラインドリベット９６ａにより固定ブラケット２Ｃの締結用面５４ｃに対して締結することで固定する。
以上で下型材６０１の取付作業を終える。
【０１３１】
（ステップＳ５：庇パラペットの上型材の取付作業）
次に、ステップＳ５の上型材６１０の取付作業を行う。
この場合、図２０に示すように、軒先に対して固定した下型材６０１に対して、上型材６１０を上方から載置する。
次に、庇パラペットＰ１の場合は、上型材６１０の固定片部６１３ａと、上部傾斜部６２１の下端部６２１ａとをブラインドリベット７１３により締結する。また、ジョイント７１０が設けられている箇所では、固定片部６１３ａと下端部６２１ａに加え、ジョイント７１０も一緒にブラインドリベット７１４により締結する。
【０１３２】
そして、図２１に示すように、固定ブラケット２Ｄの取付金具７２の中央の位置に合わせて上型材６１０の上端の上面部６１１にマーキングＭ２を行い、その位置で上面部６１１を、ドリルビス１８１により固定ブラケット２Ｄの上端支持面２１ａに締結する。
なお、設置対象が図２Ｂに示す軒先の場合は、上型材６１０の上端の上面部６１１を、ドリルビス１８１により固定ブラケット２Ｐの上端支持面３１ａの取付金具８２に締結する。
また、設置対象が図３Ｂに示す軒先の場合は、上型材６１０の上端の上面部６１１を、ドリルビス１８１により固定ブラケット２Ｌの上端支持面４１ａの取付金具９２に締結する。
また、設置対象が図４Ｂに示す軒先の場合は、上型材６１０の上端の上面部６１１を、ドリルビス１８１により固定ブラケット２Ｃの上端支持面５１ａの取付金具９５に締結する。
以上で、新規の庇パラペットＰ１（Ｐ２、Ｐ３）の設置を終了する。
【０１３３】
（実施の形態の効果）
以下に、実施の形態の効果を列挙する。
(1)実施の形態の軒先構造は、
建物の屋根材１１の軒先の梁１２から軒先前方に延設されたアーム１３と、
アーム１３の先端部に固定された固定ブラケット２Ｄ，２Ｐ，２Ｌと、
固定ブラケット２Ｄ，２Ｐ，２Ｌに固定された庇パラペットＰ１，Ｐ２と、
を備える軒先構造であって、
固定ブラケット２Ｄ，２Ｐ，２Ｌは、第１の庇パラペットとしての既設の庇パラペット１Ｄ，１Ｐ，１Ｌの裏面に当接可能なパラペット支持面としての上部傾斜支持面２２、３２，４２を有するとともに、上部傾斜支持面２２、３２，４２に取り付けられて上部傾斜支持面２２、３２，４２よりも軒先前方位置に配置され、庇パラペット１Ｄ，１Ｐ，１Ｌとは異なる形状の第２の庇パラペットとしての庇パラペットＰ１，Ｐ２の裏面を支持する金具支持面としての支持片７１ａ，８１ａ，９１ａを有する取付金具７１，８１，９１を備える軒先構造とした。
したがって、固定ブラケット２Ｄ，２Ｐ，２Ｌに取付金具７１，８１，９１を取り付けていない状態では、上部傾斜支持面２２、３２，４２で庇パラペット１Ｄ，１Ｐ，１Ｌの裏面を支持した状態で庇パラペット１Ｄ，１Ｐ，１Ｌを固定することができる。
また、固定ブラケット２Ｄ，２Ｐ，２Ｌに取付金具７１，８１，９１を取り付けた状態では、取付金具７１，８１，９１の支持片７１ａ，８１ａ，９１ａで庇パラペットＰ１，Ｐ２の裏面を支持した状態で庇パラペットＰ１，Ｐ２を固定することができる。
したがって、固定ブラケット２Ｄ，２Ｐ，２Ｌにより、それぞれ、２種類の庇パラペット１ＤとＰ１、１ＰとＰ１、１ＬとＰ２を固定可能であり、庇パラペットの共用化を図ることが可能となる。
【０１３４】
(2)実施の形態の軒先構造は、
固定ブラケット２Ｄ，２Ｐ，２Ｌとして、複数の形状のものが設定され、かつ、形状の異なる固定ブラケット２Ｄ，２Ｐ，２Ｌに対応した専用の庇パラペット１Ｄ，１Ｐ，１Ｌがそれぞれ設定され、
固定ブラケット２Ｄ，２Ｐ，２Ｌは、それぞれ、専用の庇パラペット１Ｄ，１Ｐ，１Ｌを支持可能な位置に上部傾斜支持面２２、３２，４２を有し、
取付金具７１，８１，９１は、固定ブラケット２Ｄ，２Ｐ，２Ｌのそれぞれに対応して、庇パラペットＰ１，Ｐ２を共用可能な位置に支持片７１ａ，８１ａ，９１ａを配置可能に複数の形状のものが設定されている。
したがって、庇パラペットＰ１、Ｐ２は、複数種類の固定ブラケット２Ｄ，２Ｐ，２Ｌを共用でき、汎用性に優れる。
しかも、新規の庇パラペットＰ１，Ｐ２は、他の固定ブラケット２Ｃの形状に応じた庇パラペットＰ３とも部品を共用しており、さらに汎用性に優れる。
【０１３５】
(3)実施の形態の軒先構造は、
庇パラペットＰ１，Ｐ２は、上下に分割された上型材６１０と、複数種類の形状の下型材６０１，６０２とを結合して形成されている。
このように、庇パラペットＰ１，Ｐ２は上型材６１０を共用して形成され、部品を共用することで、汎用性に優れ、かつ、少ない部品で、複数の庇パラペットＰ１，Ｐ２を形成でき、コスト低減を図ることができる。
加えて、上記のように、下型材６０１，６０２は、他の下型材６０３とも中間部材６２０を共用しており、さらにコスト低減を図ることができる。
【０１３６】
(4)実施の形態の軒先構造は、
下型材６０１，６０２が、さらに、中間部材６２０と各下部部材６３０，６４０との上下に分割された部材を結合して形成されている。
したがって、中間部材６２０を共用して下型材６０１，６０２を形成することができ、さらなるコスト低減を図ることができる。
加えて、本実施の形態では、中間部材６２０により、下型材６０３も形成しているため、さらなるコスト低減を図ることができる。
【０１３７】
(5)実施の形態の庇パラペットの交換方法は、
固定ブラケット２Ｄ，２Ｐ，２Ｌから、既設の庇パラペット１Ｄ，１Ｐ，１Ｌを除去する工程（ステップＳ１）と、
既設の庇パラペット１Ｄ，１Ｐ，１Ｌを除去した固定ブラケット２Ｄ，２Ｐ，２Ｌに取付金具７１，８１，９１を取り付ける工程（ステップＳ３）と、
庇パラペットＰ１，Ｐ２の裏面を取付金具７１，８１，９１により支持した状態で、庇パラペットＰ１，Ｐ２を固定ブラケット２Ｄ，２Ｐ，２Ｌに固定する工程（ステップＳ４〜Ｓ５）と、
を備える。
したがって、一種類の固定ブラケット２Ｄ，２Ｐ，２Ｌを用いながら、既設の庇パラペット１Ｄ，１Ｐ，１Ｌから、庇パラペット１Ｄ，１Ｐ，１Ｌとは形状の異なる新規の庇パラペットＰ１，Ｐ２に交換することができる。
【０１３８】
(6)実施の形態の庇パラペットの交換方法は、
庇パラペットＰ１，Ｐ２を固定ブラケット２Ｄ，２Ｐ，２Ｌに固定する工程は、
庇パラペットＰ１，Ｐ２の下型材６０１，６０２を固定ブラケット２Ｄ，２Ｐ，２Ｌに仮固定する工程（ステップＳ４１）と、
下型材６０１，６０２の位置決めを行う工程（ステップＳ４２）と、
下型材６０１，６０２を固定ブラケット２Ｄ，２Ｐ，２Ｌに本固定を行う工程（ステップＳ４３）と、
下型材６０１，６０２に上型材６１０を取り付け、さらに、上型材６１０を固定ブラケット２Ｄ，２Ｐ，２Ｌに固定する工程（ステップＳ５）と、を備える。
したがって、新規に取り付ける庇パラペットＰ１、Ｐ２を、高精度で軒先に取り付けて固定することができる。
【０１３９】
以上、本開示にかかる実施の形態を例示したが、この実施の形態は本開示の内容に限定されるものではない。また、本開示の請求項の範囲を逸脱しない範囲であれば、各種の変更等は可能である。
【０１４０】
例えば、本実施の形態では、既設の庇パラペット１Ｄ，１Ｐ，１Ｌを新規の庇パラペットＰ１，Ｐ２に交換する場合を示したが、本開示の軒先構造は、このような交換に適用するものに限定されるものではなく、新規の固定ブラケット２Ｄ、２Ｐ、２Ｌおよび庇パラペットＰ１、Ｐ２の設置に適用することができる。この場合、庇パラペットＰ１、Ｐ２、Ｐ３の設置の際に固定ブラケット２Ｄ、２Ｐ、２Ｌ、２Ｃのいずれでも使用でき、汎用性に優れる。
【符号の説明】
【０１４１】
Ｐ１   庇パラペット（第２の庇パラペット）
Ｐ２   庇パラペット（第２の庇パラペット）
Ｐ３   庇パラペット（第２の庇パラペット）
１Ｃ   （第４の既設の）庇パラペット（第１の庇パラペット）
１Ｄ   （第１の既設の）庇パラペット（第１の庇パラペット）
１Ｌ   （第３の既設の）庇パラペット（第１の庇パラペット）
１Ｐ   （第２の既設の）庇パラペット（第１の庇パラペット）
２Ｃ   固定ブラケット
２Ｄ   固定ブラケット
２Ｌ   固定ブラケット
２Ｐ   固定ブラケット
１１   屋根材
１２   梁
１３   アーム
２２   上部傾斜支持面（パラペット支持面）
３２   上部傾斜支持面（パラペット支持面）
４２   上部傾斜支持面（パラペット支持面）
７１   取付金具
７１ａ 支持片（金具支持面）
８１   取付金具
８１ａ 支持片（金具支持面）
９３   取付金具
９３ａ 支持片（金具支持面）
６０１ 下型材
６０２ 下型材
６０３ 下型材
６１０ 上型材
６２０ 中間部材
６３０ 下部部材
６４０ 下部部材
【図１Ａ】
2019173442.tif 000003
【図１Ｂ】
2019173442.tif 000004
【図２Ａ】
2019173442.tif 000005
【図２Ｂ】
2019173442.tif 000006
【図３Ａ】
2019173442.tif 000007
【図３Ｂ】
2019173442.tif 000008
【図４Ａ】
2019173442.tif 000009
【図４Ｂ】
2019173442.tif 000010
【図５Ａ】
2019173442.tif 000011
【図５Ｂ】
2019173442.tif 000012
【図６Ａ】
2019173442.tif 000013
【図６Ｂ】
2019173442.tif 000014
【図７Ａ】
2019173442.tif 000015
【図７Ｂ】
2019173442.tif 000016
【図７Ｃ】
2019173442.tif 000017
【図８】
2019173442.tif 000018
【図９Ａ】
2019173442.tif 000019
【図９Ｂ】
2019173442.tif 000020
【図９Ｃ】
2019173442.tif 000021
【図９Ｄ】
2019173442.tif 000022
【図１０】
2019173442.tif 000023
【図１１】
2019173442.tif 000024
【図１２】
2019173442.tif 000025
【図１３Ａ】
2019173442.tif 000026
【図１３Ｂ】
2019173442.tif 000027
【図１３Ｃ】
2019173442.tif 000028
【図１４】
2019173442.tif 000029
【図１５】
2019173442.tif 000030
【図１６】
2019173442.tif 000031
【図１７】
2019173442.tif 000032
【図１８】
2019173442.tif 000033
【図１９】
2019173442.tif 000034
【図２０】
2019173442.tif 000035
【図２１】
2019173442.tif 000036